(57)【要約】      （修正有）【課題】宝石などを吊り下げて揺動させる機構に不要な外力を作用させ難くすることができる装飾用部品を提供する。【解決手段】台座部２０は、一方の第１リング部２１と第２リング部３１との第１接触部４１、及び、他方の第１リング部２２と第２リング部３２との第２接触部４２を通る仮想的な揺動軸の周りで揺動可能に吊り下げられる。フレーム５０は、第１接触部４１を通り揺動軸に垂直な仮想平面に比べて第２接触部４２から離れた範囲から見て、物品により覆われていない第１接触部の周囲を覆う。また、フレームは、第２接触部４２を通り揺動軸に垂直な仮想平面に比べて第１接触部から離れた範囲から見て、物品により覆われていない第２接触部の周囲を覆う。【選択図】図８
0003219794.tif 000002
【実用新案登録請求の範囲】
【請求項１】
物品に固定されるフレームと、
２つの第１リング部を持ち、宝石を保持する台座部と、
前記フレームに固定された２つの第２リング部とを有し、
一方の前記第１リング部と一方の前記第２リング部とが連結され、
他方の前記第１リング部と他方の前記第２リング部とが連結され、
前記台座部が、一方の前記第１リング部と一方の前記第２リング部との第１接触部分、及び、他方の前記第１リング部と他方の前記第２リング部との第２接触部分を通る仮想的な揺動軸の周りで揺動可能に吊り下げられ、
前記フレームは、
前記第１接触部を通り前記揺動軸に垂直な仮想平面に比べて前記第２接触部分から離れた範囲から見た前記第１接触部の周囲であって、前記物品により覆われていない前記第１接触部の周囲を覆い、
前記第２接触部を通り前記揺動軸に垂直な仮想平面に比べて前記第１接触部から離れた範囲から見た前記第２接触部の周囲であって、前記物品により覆われていない前記第２接触部の周囲を覆う
装飾用部品。
【請求項２】
前記宝石は、前記揺動軸の周りで前記台座部が揺動可能に吊り下げられた状態において、前記フレームの正面方向から目視可能であり、
前記フレームは、前記正面方向から見て左右対称な形状を持っている、
請求項１に記載の装飾用部品。
【請求項３】
前記正面方向から見た前記フレームの形状は、三角形、四角形、正方形、台形、菱形、五角形、六角形、多角形、正多角形、星形多角形、十字形、逆Ｖ字形、三日月形、アーチ形、又は、馬蹄形である、
請求項２に記載の装飾用部品。
【請求項４】
請求項１〜３のいずれか一項に記載の装飾用部品を備えた物品。
【考案の詳細な説明】
【技術分野】
【０００１】
本考案は、様々な物品を装飾する装飾用部品と、そのような装飾用部品を備えた物品に関するものである。
【背景技術】
【０００２】
ペンダントやピアス、指輪などの身飾品において、台座部がフレームに対して小さく揺動するように配されたものが知られている（例えば特許文献１を参照）。台座部が揺動することで、台座部に保持された宝石がキラキラと輝くように見えるため、宝石の美しさを際立たせることができる。
【先行技術文献】
【特許文献】
【０００３】
【特許文献１】特開２０１５−５４１６２号公報
【考案の概要】
【考案が解決しようとする課題】
【０００４】
しかしながら、上記の特許文献１に記載されるような台座部の揺動構造を持つ従来の身飾品では、台座部とフレームとの係合部分が外側に露出しているため、この係合部分に対して別の物体がぶつかったり、髪の毛や糸などが絡みついたりして、揺動性能が低下するという不利益がある。
【０００５】
また、宝石等を揺動させる構造を備えた装飾用の部品によって様々な物品（サングラス、腕時計など）の外観を装飾する場合にも、上述した身飾品の場合と同様な不利益を生じる。
【０００６】
本考案はかかる事情に鑑みてなされたものであり、その目的は、宝石などを吊り下げて揺動させる機構に不要な外力を作用させ難くすることができる装飾用部品と、そのような装飾用部品を備えた物品を提供することにある。
【課題を解決するための手段】
【０００７】
本考案の第１の態様に係る装飾用部品は、物品に固定されるフレームと、２つの第１リング部を持ち、宝石を保持する台座部と、フレームに固定された２つの第２リング部とを有する。一方の第１リング部と一方の第２リング部とが連結され、他方の第１リング部と他方の第２リング部とが連結される。台座部は、一方の第１リング部と一方の第２リング部との第１接触部分、及び、他方の第１リング部と他方の第２リング部との第２接触部分を通る仮想的な揺動軸の周りで揺動可能に吊り下げられる。フレームは、第１接触部を通り揺動軸に垂直な仮想平面に比べて第２接触部分から離れた範囲から見た第１接触部の周囲であって、物品により覆われていない第１接触部の周囲を覆う。また、フレームは、第２接触部を通り揺動軸に垂直な仮想平面に比べて第１接触部から離れた範囲から見た第２接触部の周囲であって、物品により覆われていない第２接触部の周囲を覆う。
【０００８】
好適に、宝石は、揺動軸の周りで台座部が揺動可能に吊り下げられた状態において、フレームの正面方向から目視可能であり、フレームは、正面方向から見て左右対称な形状を持っている。
【０００９】
好適に、正面方向から見たフレームの形状は、三角形、四角形、正方形、台形、菱形、五角形、六角形、多角形、正多角形、星形多角形、十字形、逆Ｖ字形、三日月形、アーチ形、又は、馬蹄形である。
【００１０】
本考案の第２の態様に係る物品は、上記第１の態様に係る装飾用部品を備える。
【考案の効果】
【００１１】
本考案によれば、宝石などを吊り下げて揺動させる機構に不要な外力を作用させ難くすることができる。
【図面の簡単な説明】
【００１２】
【図１】図１は、本実施形態に係る装飾用部品のフレームの一例を示す正面図である。
【図２】図２は、本実施形態に係る装飾用部品のフレームの一例を示す背面図である。
【図３】図３は、本実施形態に係る装飾用部品のフレームの一例を示す右側面図である。
【図４】図４は、本実施形態に係る装飾用部品のフレームの一例を示す平面図である。
【図５】図５は、本実施形態に係る装飾用部品のフレームの一例を示す底面図である。
【図６】図６は、本実施形態に係る装飾用部品のフレームの一例を示す背面側斜視図である。
【図７】図７は、本実施形態に係る装飾用部品の一例を示す正面側斜視図である。
【図８】図８は、本実施形態に係る装飾用部品の一例を示す背面側斜視図である。
【図９】図９は、本実施形態に係る装飾用部品の一例を示す正面図であり、装飾対象の物品として眼鏡に取り付けられた状態を示す。
【図１０】図１０は、本実施形態に係る装飾用部品の一例を示す背面側斜視図であり、正面側と同一形状のフレームが背面側に取り付けられ状態を示す。
【図１１】図１１は、本実施形態に係る装飾用部品のフレームの一変形例を示す図であり、三角形のフレームの例を示す。
【図１２】図１２は、本実施形態に係る装飾用部品のフレームの一変形例を示す図であり、正方形のフレームの例を示す。
【図１３】図１３は、本実施形態に係る装飾用部品のフレームの一変形例を示す図であり、菱形のフレームの例を示す。
【図１４】図１４は、本実施形態に係る装飾用部品のフレームの一変形例を示す図であり、台形のフレームの例を示す。
【図１５】図１５は、本実施形態に係る装飾用部品のフレームの一変形例を示す図であり、六角形のフレームの例を示す。
【図１６】図１６は、本実施形態に係る装飾用部品のフレームの一変形例を示す図であり、五芒星形のフレームの例を示す。
【図１７】図１７は、本実施形態に係る装飾用部品のフレームの一変形例を示す図であり、六芒星形のフレームの例を示す。
【図１８】図１８は、本実施形態に係る装飾用部品のフレームの一変形例を示す図であり、十字形のフレームの例を示す。
【図１９】図１９は、本実施形態に係る装飾用部品のフレームの一変形例を示す図であり、逆Ｖ字形のフレームの例を示す。
【図２０】図２０は、本実施形態に係る装飾用部品のフレームの一変形例を示す図であり、三日月形のフレームの例を示す。
【図２１】図２１は、本実施形態に係る装飾用部品のフレームの一変形例を示す図であり、アーチ形のフレームの例を示す。
【図２２】図２２は、本実施形態に係る装飾用部品のフレームの一変形例を示す図であり、馬蹄形のフレームの例を示す。
【考案を実施するための形態】
【００１３】
図１〜図８は、本考案の一実施形態に係る装飾用部品の一例を示す図である。本実施形態に係る装飾用部品は、様々な物品（例えば眼鏡、腕時計、印鑑、かばん、財布、文房具、鍵、スマートフォン、スマートフォン等の携帯用ケース、オルゴール、置時計、おもちゃ、楽器、運動器具など）に固定され、その外観を装飾するための部品として使用される。装飾用部品により装飾される物品には、ペンダントやピアス、指輪などの身飾品も含まれる。図９は、図１〜図８に示す装飾用部品１が物品としての眼鏡２に取り付けられた状態を示す。
【００１４】
図１〜図６は装飾用部品のフレーム５０を示しており、台座部２０が省略されている。図１は正面図であり、図２は背面図であり、図３は右側面図であり、図４は平面図であり、図５は底面図であり、図６は背面側の斜視図である。図７及び図８は、台座部２０を含む装飾用部品の外観を示す。図７は正面側の斜視図であり、図８は背面側の斜視図である。
【００１５】
図１〜図８に示す装飾用部品は、物品に固定されるフレーム５０と、宝石１０を保持する台座部２０と、フレーム５０に固定された２つの第２リング部３１，３２とを有する。台座部２０は、２つの第１リング部２１，２２を持つ。図８に示すように、第１リング部２１と第２リング部３１とが連結され、互いの内縁同士が接触している。また、第１リング部２２と第２リング部３２とが連結され、互いの内縁同士が接触している。図８において、第１接触部４１は、第１リング部２１と第２リング部３１とが接触している部分を示す。また、第２接触部４２は、第１リング部２２と第２リング部３２とが接触している部分を示す。
【００１６】
台座部２０は、図８に示すように、第１接触部４１と第２接触部４２とを通る仮想的な揺動軸の周りで揺動可能に吊り下げた状態となる。宝石１０は、この仮想的な揺動軸の周りで台座部２０が揺動可能に吊り下げられた状態において、フレーム５０の正面方向から目視することが可能である。フレーム５０に振動が加わると、第１接触部４１及び第２接触部４２の２か所で第２リング部３１，３２に吊り下げられた状態にある台座部２０が揺動する。台座部２０が宝石１０とともに揺動すると、宝石１０における光の反射方向が振動的に変化する。これにより、正面方向から見て宝石１０が瞬くように輝く。
【００１７】
図１〜図６に示すフレーム５０は、正面方向から見て概ね五角形の形状を持ち、その略中央に円形の開口部５１を持つ。台座部２０に保持された宝石１０は、この開口部５１を介して正面方向から目視することができる。２つの第２リング部３１，３２は、正面方向から見て隠れたフレーム５０の背面側に固定される。
【００１８】
フレーム５０は、揺動可能に吊り下げられた台座部２０の宝石１０が正面方向から目視できる状態において、第１接触部４１及び第２接触部４２をそれぞれ露出しないように覆っている。すなわち、フレーム５０は、第１接触部４１を通り揺動軸に垂直な仮想平面に比べて第２接触部４２から離れた範囲から見た第１接触部４１の周囲であって、物品により覆われていない第１接触部４１の周囲を覆う。また、フレーム５０は、第２接触部４２を通り揺動軸に垂直な仮想平面に比べて第１接触部４１から離れた範囲から見た第２接触部４２の周囲であって、物品により覆われていない第２接触部４２の周囲を覆う。これにより、フレーム５０を物品に固定して取り付けた場合、第１接触部４１は第２接触部４２から離れた側の周囲を覆われた状態になり、第２接触部４２は第１接触部４１から離れた側の周囲を覆われた状態になる。そのため、第１接触部４１や第２接触部４２に別の物体があたって不要な外力が作用したり、髪の毛や糸などが絡みついたりすることを効果的に防止できる。従って、台座部２０の揺動性能を安定的に維持することができる。
【００１９】
図１０は、図１〜図８に示す装飾用部品の正面側のフレーム５０と略同一形状のフレーム６０がフレーム５０の背面側に取り付けられた状態を示す。図１０に示す物品は、例えばネックレスなどに用いられる下げ飾りである。
【００２０】
図１１〜図２１は、フレーム５０の様々な変形例を示す図であり、それぞれフレーム５０を正面方向から見た図である。図１１は三角形のフレーム５０の例を示し、図１２は正方形のフレーム５０の例を示し、図１３は菱形のフレーム５０の例を示し、図１４は台形のフレーム５０の例を示し、図１５は六角形のフレーム５０の例を示し、図１６は五芒星形のフレーム５０の例を示し、図１７は六芒星形のフレーム５０の例を示し、図１８は十字形のフレーム５０の例を示し、図１９は逆Ｖ字形のフレーム５０の例を示し、図２０は三日月形のフレーム５０の例を示し、図２１はアーチ形のフレーム５０の例を示し、図２２は馬蹄形のフレーム５０の例を示す。これらの例において、正面方向から見たフレーム５０の形状は左右対称である。なお、装飾用部品の他の変形例において、正面方向から見たフレームの形状は左右非対称であってもよい。
【００２１】
以上、本考案の一実施形態に係る装飾用部品について説明したが、本考案はこの例に限定されない。各図に示した装飾用部品の各部分の形状は一例であり、様々に変形可能である。例えば、正面方向から見たフレームの形状は、図示の例に限定されるものではなく、各部の寸法の比率や縁部の曲面形状、開口部の大きさなどを様々に変更可能である。
【符号の説明】
【００２２】
１０        …  宝石
２０        …  台座部
２１，２２  …  第１リング部
３１，３２  …  第２リング部
４１，４２  …  第１接触部
５０，６０  …  フレーム
５１        …  開口部
【図１】
0003219794.tif 000003
【図２】
0003219794.tif 000004
【図３】
0003219794.tif 000005
【図４】
0003219794.tif 000006
【図５】
0003219794.tif 000007
【図６】
0003219794.tif 000008
【図７】
0003219794.tif 000009
【図８】
0003219794.tif 000010
【図９】
0003219794.tif 000011
【図１０】
0003219794.tif 000012
【図１１】
0003219794.tif 000013
【図１２】
0003219794.tif 000014
【図１３】
0003219794.tif 000015
【図１４】
0003219794.tif 000016
【図１５】
0003219794.tif 000017
【図１６】
0003219794.tif 000018
【図１７】
0003219794.tif 000019
【図１８】
0003219794.tif 000020
【図１９】
0003219794.tif 000021
【図２０】
0003219794.tif 000022
【図２１】
0003219794.tif 000023
【図２２】
0003219794.tif 000024